(57)【特許請求の範囲】
【請求項１】
（ａ）コンテナのハウジングの少なくとも一部を含み空隙部を備えている対象物を含んでいて、上記コンテナは導電体及び／又は電気接続器及び／又は電子デバイス及び／又は光ファイバ及び／又は光学デバイスを収容することができ、
（ｂ）（ｉ）ゲルのシール材と、（ii）上記シール材が取り付けられるキャリアとを含み、上記コンテナ内で該コンテナの収容物をシールするシール部材を含んでいて、上記キャリア及び／又は上記対象物は、１つ又はこれより多い取付手段を含み、これにより、少なくとも使用時には、上記シール材の少なくとも一部が上記空隙部内に保持されるようにして、上記キャリアが上記対象物に取り付けられ、上記シール部材は、該シール部材が取り付けられる上記対象物又はハウジングに対して移動することができ、かつ
（ｃ）少なくとも１つの弾性部材を含んでいて、該弾性部材は、少なくとも使用時には上記空隙部内に収容され、かつ使用時には上記シール部材が上記対象物又はハウジングに対して少なくとも１つの方向に移動することにより圧縮されるようになっている密封部材。
【請求項２】
（ａ）上記対象物が、使用時には、それぞれを通して少なくとも１つのケーブルが延びることができる開口部及び空隙部を含むハウジングの形態であり、
（ｂ）上記キャリア及び／又は上記ハウジングが、１つ又はこれより多い取付手段を含み、これにより、少なくとも使用時には、上記シール材の少なくとも一部が上記空隙部内に保持されるようにして、上記シール部材が上記ハウジングに直接又は間接的に取り付けられているケーブルクロージャの一部を形成している、請求項１に記載の密封部材。
【請求項３】
上記シール部材が、上記取付手段により上記ハウジングに直接取り付けられている上記キャリアによって上記ハウジングに取り付けられている、請求項２に記載の密封部材。
【請求項４】
上記取付手段が、互いにかみ合う部分又はスナップ係合部を含んでいる、請求項１〜３のいずれか１つに記載の密封部材。
【請求項５】
上記シール部材が、これを単に上記部分が互いにかみ合うまで上記空隙部内に押し込むことにより、上記対象物又はハウジングに取り付けられることができる、請求項４に記載の密封部材。
【請求項６】
コンテナを含んでいて、上記対象物が上記コンテナのハウジングの少なくとも一部を含み、上記ハウジングが使用時には合体されることができる少なくとも２つのハウジング部品、又は２つの半割シェルを含み、上記シール部材が上記ハウジングに対して自動的に移動させられ、これにより上記の少なくとも１つの弾性部材を圧縮するとともに、その弾性により各弾性部材が上記シール材に圧縮力を加えるようになっている、請求項１〜５のいずれか１つに記載の密封部材。
【請求項７】
使用時には、上記各弾性部材が、上記空隙部を通ってケーブルが延びる方向に対して、横切る方向又は垂直な方向に圧縮される、請求項６に記載の密封部材。
【請求項８】
上記各弾性部材が、使用時には、上記シール部材の１つと上記ハウジング部品の１つとの間で、上記各ケーブルから横向きに離間して配置される、請求項７に記載の密封部材。
【請求項９】
上記各弾性部材が、少なくとも１つの板ばね及び／又は螺旋状ばねを含み、又は、少なくとも部分的には、少なくとも１つの弾性的な高分子材料、エラストマー、天然又は合成のゴム、又は高分子発泡体材料で形成されている、請求項６〜８のいずれか１つに記載の密封部材。
【請求項１０】
上記ハウジング部品が、使用時に合体させられて、実質的にケーブル継手を閉じ込める、請求項６〜９のいずれか１つに記載の密封部材。
【請求項１１】
さらに１つ又はこれより多い細長いシール部材を含んでいて、該シール部材は使用時には、上記ハウジング部品の互いに対向する端面間をシールし、かつ上記空隙部内で上記シール材ともシール接触する、請求項６〜１０のいずれか１つに記載の密封部材。
【請求項１２】
請求項１〜１１のいずれか１つに記載の密封部材に用いられるシール部材であって、
（ａ）シール材と、
（ｂ）上記シール材が取り付けられるキャリアとを含んでいて、
上記キャリアが、該シール部材を対象物に取り付けるようになっている１つ又はこれより多い取付手段を含む、条片、テープ又はブロックの形態をなす、該シール部材の裏材を含んでいるシール部材。
【発明の詳細な説明】
本発明は、密封部材に関するものであって、とくには、たとえば導電体、電気接続器、電子デバイス、光ファイバ、光学デバイス又はこれらに類するものを収容するためのコンテナに関するものである。本発明の好ましい態様は、ケーブルクロージャ、たとえばケーブルとケーブルとの間の継手を囲い込むためのケーブル継手クロージャに関する。この明細書において、「ケーブル」は、遠隔通信ケーブル（導電性ファイバ又は光ファイバのいずれか）、電線ないしはその他の導電性ケーブル、ワイヤないしはその他の導電体又は光ファイバを意味する。
国際特許出願ＷＯ９６／０９４８３（レイケム社）は、とりわけ、ゲル・シール材の細長い本体部を担っている細長いチューブ状キャリアを含む密封部材を開示している。この密封部材は、キャリアと一体形成されるのが好ましく、使用時に部材を担うべき対象物にキャリアを取りつけるための構造を含んでいる。この構造は、たとえば、キャリアを対象物につなぎとめるために、対象物中の穴部に収容されることができる拡大された領域を伴った突起部を含むことができる。
このシール構造においては、しばしば、空隙部にシール材を供給することが必要となる。たとえば、窓又はドアのまわりにシールを行う場合、シール材は、窓、ドア、窓枠又はドアフレームの空隙部に必要とされるであろう。また、たとえばケーブルクロージャなどのコンテナをシールする場合、シール材を供給することが必要な１つ又はこれより多い空隙部が存在するであろう。
第１の態様によれば、本発明は、（ａ）空隙部を含む対象物と、（ｂ）（ｉ）シール材（シーラント）と、（ii）該シール材が取り付けられるキャリアとを含むシール部材とを含んでいる密封部材であって、キャリア及び／又は対象物が１つ又はこれより多い取付手段を含み、これにより、少なくとも使用時には、シール材の少なくとも一部が空隙部内に保持されるようにして、キャリアが対象物に直接取り付けられている密閉部材を提供する。
本発明は、シール部材がシール材を担うキャリアを含み、かつキャリア及び／又は対象物が該キャリアを該対象物に取り付けることができる取付手段を含むといった事実により、シール部材のシール材を空隙部内に首尾よくかつ確実に保持することができるといった利点を有する。
すでに述べたように、この密封部材は、たとえばコンテナを含むことができ、この場合、対象物は好ましくコンテナのハウジングの少なくとも一部を含むことができる。このコンテナは、たとえば、導電体及び／又は電気接続器及び／又は電子デバイス及び／又は光ファイバ及び／又は光学デバイス又はこれらに類するものを収容するのに適しているであろう。このコンテナは、たとえば、ケーブルクロージャ（ケーブル密封体）を含んでいてもよい。
第２の態様によれば、本発明は、（ａ）使用時にはそれぞれを通して少なくとも１つのケーブルが延びることができる開口部及び空隙部を含むハウジングと、（ｂ）（ｉ）シール材と、（ii）該シール材が取り付けられるキャリアとを含むシール部材とを含んでいるケーブルクロージャであって、キャリア及び／又はハウジングが１つ又はこれより多い取付手段を含み、これにより、少なくとも使用時には、シール材の少なくとも一部が空隙部内に保持されるようにして、シール部材がハウジングに直接又は間接的に取り付けられているケーブルクロージャを提供する。
本発明の第２の態様は、シール部材がシール材を担うキャリアを含み、かつキャリア及び／又はハウジングがシール部材をハウジングに直接又は間接的に取り付けることができる取付手段を含んでいるので、一般的には、正確な量でのシール材の供給と、シール材の正確な位置決めと、さらには空隙部内へのシール材の容易な供給とが確実化されるであろう。本発明は、たとえば、シール材を空隙部内へ噴射し、注ぎ込み又は鋳込む（これらのプロセスは、困難かつ不正確である）必要性を実質的になくすものである。さらに、取付手段による空隙部内におけるシール材の保持は、一般的に、空隙部内での又はこれからのシール材の事故的な逸失又はその他の不本意な移動を防止することができるといった利点をもたらす。これは、たとえば、ケーブルクロージャが一度使用されてから再び開かれる場合には、とくに有利であろう。もし、シール材が空隙部内に強固に保持されていなければ、このように再び開くと、シール材の逸失を惹起し、この後の無用なシール及び／又は汚染につながる可能性が生じるであろう。
本発明の第２の態様にかかるケーブルクロージャのシール部材は、キャリアを取付手段でもってハウジングに直接取り付けることにより、好ましくハウジングに取り付けられている。
（本発明のいずれか１つの態様にかかる）シール部材のシール材は、一般的には、任意の適当なシール材を含むことができる。とくに好ましいシール材はゲル・シール材である。このゲルは、たとえば、シリコンゲル、尿素ゲル、ウレタンゲル、熱可塑性ゲル、あるいは適当なゲルないしはゲロイド・シール材（gelloid sealant）を含むことができる。最も好ましいタイプのゲル・シール材は、液延びした高分子合成物を含む。ゲル・シール材の高分子合成物は、たとえば、比較的硬いブロックと比較的弾性的なブロック有するブロック共重合体又はエラストマー（弾性重合体）を含むことができる。このような共重合体の例は、スチレン・ジエンのブロック共重合体、たとえば、国際特許出願ＷＯ８８／００６０３等に開示されているような、スチレン・ブタジエン又はスチレン・イソプレンの２ブロック又は３ブロックの共重合体を含む。しかしながら、好ましくは、この高分子合成物は、１つ又はこれより多いスチレン・エチレン・プロピレン・スチレンのブロック共重合体を含む。ゲルで用いられる延ばし液は好ましくオイルを含む。かかるオイルは、たとえばパラフィン系又はナフサ系のオイル等の炭化水素オイル、たとえばポリブテン又はポリプロペンのオイル等の合成オイル、又はこれらの混合物であってもよい。好ましいオイルは、非芳香族系のパラフィンとナフサ系炭化水素オイルの混合物である。ゲルは、たとえば水分捕集剤（たとえば、塩化ベンゾイル）、酸化防止剤、色素及び殺菌剤などの添加物を含んでいてもよい。
使用可能なその他のシール材は、高分子発泡体材料（たとえば、シリコン）、たとえば天然又は合成のゴム等のエラストマー材料、又はしっくいを含む。しかしながら、これらのその他のシール材は、ゲル・シール材に比べれば、一般的には好ましさは低い（少なくとも、現時点では）。
シール材（好ましくは、ゲル・シール材）は、スチブンス・ボランド（Stevens-Volland）の組織分析器を用いて決定される室温における硬度が４５ｇより大きいのが好ましく、５０ｇより大きいのがとくに好ましく、５５ｇより大きい、たとえば５５ｇと６０ｇの間であるのがさらに好ましい。その応力緩和は、１２％より小さいのが好ましく、１０％より小さいのがとくに好ましく、そして８％より小さいのがさらに好ましい。また、ＡＳＴＭのＤ６３８に従って決定される、室温における最終伸長度は、１００％より大きいのが好ましく、６００％より大きいのがより好ましく、１０００％より大きいのがとくに好ましく、１４００％より大きいのがさらに好ましい。１００％ひずみ時における引張り係あるのがより好ましい。一般に、圧縮永久変形は、３５％より小さいのが好ましく、２５％より小さいのがより好ましく、１５％より小さいのがとくに好ましい。シール材においては、ＡＳＴＭのＤ２１７により測定される円錐貫入が、少なくとも８０（１０-1ｍｍ）であるのが好ましく、少なくとも１００（１０-1ｍｍ）であるのがより好ましく、少なくとも２００（１０-1ｍｍ）であるのがなお一層好ましく、そして４００（１０-1ｍｍ）より大きくないのがより好ましく、３５０（１０-1ｍｍ）より大きくないのがとくに好ましい。
キャリアと、対象物ないしハウジングとは、相互にかみ合う（インターロックする、係合する）部材を含む取付手段を有しているのが好ましい。この取付手段は、たとえば、１つ又はこれより多い突起部及び／又は凹部であってもよい。相互にかみ合う部材は、好ましくスナップ係合部材を含んでいてもよい。シール部材は、好ましく、単にこれをスナップ係合部材が相互にかみ合うまで空隙部内に押し込むことにより、対象物ないしハウジングに取り付けられることができる。キャリア、又は少なくともその取付手段は、好ましく弾性的に変形できるようになっている。
キャリアは、好ましくプラスチック材料でつくられている。好ましい材料は、ポリオレフィン、たとえばポリエチレン又はポリプロピレンを含む。
キャリアは、好ましく、シール材が取り付けられる、シール部材の裏材又はその他の支持物を含むことができる。キャリアは、たとえば、シール材中に延び、かつキャリアをこれにつなぐ、１つ又はこれより多い突起部又はその他の把持部材を含むことができる。キャリアは、実質的に剛体であるのが好ましい。それは、たとえば、その剛性を確実化するために１つ又はこれより多いリブ又はその他の補強部材を有していてもよい。キャリアは、一般に、条片（ストリップ）、テープ、ブロック又はこれらに類する形態であることができる。シール部材は、一般に、条片（ストリップ）、テープ、ブロック又はこれに類する形態であることができる。
第３の実施態様によれば、本発明は、（ｉ）シール材と、（ii）該シール材が取り付けられるキャリアとを含むシール部材であって、キャリアが、該シール部材を対象物に取り付けるようになっている１つ又はこれより多い取付手段を含む条片、テープ又はブロックの形態の、該シール部材の裏材を含んでいるシール部材を提供する。
本発明のいくつかの好ましい実施態様によれば、シール部材は、これがそこに取り付けられるときには、対象物又はハウジングに対して移動することができる。シール部材は、たとえば、対象物又はハウジングに対して、空隙部のさらに内側への方向、そして空隙部の外部に向かう方向に移動可能であってもよい。最も好ましくは、密封部材又はケーブルクロージャが、さらに、少なくとも使用時には空隙部内に保持され、かつ使用時には対象物又はハウジングに対する少なくとも１つの方向へのシール部材の移動によって圧縮される、少なくとも１つの弾性部材を含んでいる。
本発明の好ましい実施態様においては、ハウジング（すなわち、ケーブルクロージャ又はその他のコンテナのハウジング）は、合体（結合）されることができる（たとえば、少なくとも１つのケーブルのまわりに）少なくとも２つのハウジング部品を含み、ここにおいてシール部材はハウジングに対して自動的に移動させられ、これにより各弾性部材を圧縮し、その弾性によりシール材に圧縮力をかけるようになっている。
これの１つの利点は、単にハウジング部品を合体させることによって、シール材に圧縮力を加えることができることである。かくして、それは、このような圧縮力をシール材に加えるためにこの後圧力板を移動させる（たとえば、ケーブルに向かって）必要をなくし、これにより従来技術にかかるクロージャ又はその他のコンテナに比べてクロージャ又はその他のコンテナの複雑さを軽減し（かつ、コストの低減を可能にし）、そしてさらにこのようなクロージャ又はその他のコンテナに要求される操作に比べて装着操作を簡素化（簡略化）する。装着操作を簡素化する（かつ短縮する）必要性と、装着のために必要とされる道具立てと、さらにはクロージャの製作にかかるコストを低減する必要性とは、ますます重要になりつつある。
空隙部内で弾性部材によってシール部材に圧縮力を加えることが有利である理由は多々ある。１つの理由は次のとおりである。すなわち、少なくとも好ましい実施態様においては、弾性部材は、シール材が、コンテナ内で電気接続器等とシール接触し、又はクロージャ内で延びるケーブルとシール接触するのを促進することである。もう１つの理由は次のとおりである。すなわち、少なくともいくつかの好ましいシール材、たとえばゲルについては、シール材が圧縮下におかれたときには、シール特性がしばしば改善されることである。クロージャ又はその他のコンテナは、長期間（たとえば、複数月、又はさらに典型的には複数年）にわたってシールを維持することが要求され、そしてこのような期間中には、通常広範囲の温度変化が生じるであろう。シール材が、弾性部材、すなわちシール材に付勢された圧縮力を加えるであろう部材による圧縮下におかれていることは、一般的にこれらの理由に対するものである。これは、シール材への圧縮力を維持しつつ、シール材の体積変化（たとえば、温度変化に起因する）及び／又はシール材のずれ動き、漏れ等が、弾性部材の弾性によって通常は自動的に吸収されるといった利点をもつ。弾性部材は、その弾性に起因して、シール材の膨張、収縮又は逸失に対応して適切な方向に向くように、好ましく膨張し、又は自動的に収縮し、そしてシール材の圧縮を実質的に維持する。
本発明にかかるケーブルクロージャの各弾性部材は、好ましく、ケーブルが空隙部を通って延びる方向に対して、実質的に横向きの、より好ましくは実質的に垂直な方向に圧縮されている。付加的に又は交換的に、各弾性部材は、使用時には、各ケーブルから横向きに離間して、たとえばシール材と上記ハウジング部品との間に好ましく配置される。各弾性部材は、シール部材のキャリアによって、好ましくはキャリアと１つ又はこれより多いハウジング部品との間に、ケーブルのまわりのハウジング部品を閉止しつつ好ましく圧縮されている。
各弾性部材は、都合良く少なくとも１つのばね、好ましくは少なくとも１つの板ばね（リーフスプリング）及び／又は螺旋状ばね（ヘリカルスプリング）を含むことができる。さらに、弾性部材は、各ばねからシール材に圧縮力を伝達する、少なくとも１つのプレート又はその他の部品を含んでいてもよい。追加的又は交換的に、各弾性部材は、少なくとも部分的には、少なくとも１つの弾性的な高分子材料、好ましくはエラストマー（弾性重合体）、より好ましくは天然又は合成のゴム（たとえば、シリコンゴム）で形成されることができる。この弾性的な高分子材料は、たとえば、高分子発泡体材料を含んでいてもよい。とくに好ましい形態の弾性部材は、チューブ状又はその他の中空の弾性的な高分子部材を含む。各弾性部材は、少なくとも１つのハウジング部品と一体化されたものであってもよいが、ハウジング部品とは別体とされかつ該部品内に挿入できるようになっているのが好ましい。
好ましい実施態様においては、クロージャがさらに、使用時には空隙部を通って延びる１つ又はこれより多いケーブルを把持するための、少なくとも１つの把持部材を含んでいる。この把持部材は、好ましく、ハウジング部品に対してケーブルを固定（固着）する。各把持部材は、好ましく、複数のハウジング部品、又は少なくとも１つのハウジング部品に直接取り付けられている。
各把持部材は、都合良く、ハウジング部品が合体されたときには少なくとも１つのハウジングと好ましく組み合い、かつ使用時には１つ又はこれより多いケーブルのまわりに巻きつけられる条片の形態とすることができる。この条片は、たとえば、国際特許出願ＰＣＴ／ＧＢ９５／０２２２９号（その全開示事項が、ここに参照文献として添付されている）に開示されているような保持条片（リテンション・ストリップ）であってもよい。すなわち、この条片は、細長い対象物（たとえば、１つ又はこれより多いケーブル）のまわりに巻きかけるための保持条片を含んでいてもよく、これは使用時にそのように巻かれた場合には、対象物のまわりで圧縮されたときの長さを短くすることができ、これにより対象物のまわりでの条片の収縮を可能にする。
この保持条片は、１つ又はこれより多くの、好ましくは複数の折りたたみ部を含んでいてもよく、そしてこの条片は１つ又はこれより多い折りたたみ部の折りたたみにより、好ましく長さを短くすることができる。この折りたたみ部は、種種の機構のいずれかにより、たとえば（折りたたみ式望遠鏡の場合と類似のやり方で）畳み込むことにより、折りたたむことができる。しかしながら、各折りたたみ部は、好ましく、変形により、たとえば押しつぶされもしくはアコーデオン状にたたまれることにより又は曲げることにより折りたたむことができる。かくして、各折りたたみ部は、好ましく保持条片の比較的弱い部分を含み、より好ましくは実質的に非折りたたみ部間で延びる、１つ又はこれより多いウェブ、たとえば１つ又はこれより多い変形可能な比較的薄い部分を含む。
好ましくは、保持条片は、その長さの少なくとも一部好ましくは全部に沿った、複数の折りたたみ部と非折りたたみ部とが繰り返されるものを含む。これは、一般的には条片の長さに沿って実質的に均一な折りたたみ性を与えるといった利点を有し、かくして条片は１つ又はこれより多いケーブルのまわりに比較的もしくは実質的に均一に収縮することができる。
シール材を収容するための空隙部を与えるハウジング部品はまた、好ましく、使用時に合体されたときにはケーブル継手を実質的に閉じ込める。すなわち、シール材料を収容するための各空隙部は、好ましくケーブル継手のクロージャのハウジング部品と一体化された部分として提供される。これは、非常に簡素ではあるが極めて高い信頼性でもってシールされたケーブル継手のクロージャを提供するといった利点を有する。ハウジング部品は、好ましく一緒に固定されることができる２つの半割シェルである。追加的又は交換的に、ハウジング部品は、使用時には合体される前に、たとえばヒンジ留め又はその他のピボット留めにより、結合されてもよい。ハウジング部品は、たとえば、１つ又はこれより多いいわゆるリビングヒンジ等により一体的に結合されてもよい。ハウジング部品は、好ましくはプラスチック材料、たとえばポリプロピレンでつくられるが、その他の材料、たとえば金属も用いることができる。
ハウジング部品によりシール材が与えられる各空隙部は、好ましく、少なくとも１つの好ましくは各ハウジング部品の少なくとも２つの離間された壁部によって画成され、該壁部は、好ましくハウジング部品の残部と一体化されている。この壁部は、好ましくその中に少なくとも１つの開口部を有し、１つ又はこれより多いケーブルが空隙部を通って延びるのを可能にしている。交換的に、必要な開口部を設けるために、必要であれば壁部の一部は、切除あるいは除去されてもよい。このため、壁部は、たとえばフランジ部及び／又は組み合わせ取り外し部を有していてもよい。
本発明のとくに好ましい実施態様においては、クロージャがさらに１つ又はこれより多い細長いシール部材を含み、これは使用時にはハウジング部品の反対向きの端面間（エッジ面間）をシールし、そしてまた好ましく空隙部内のシール材とシール接触する。空隙部内におけるシール材とのこのようなシール接触によって、いわゆるクロージャのトリプルポイント（すなわち、たとえば末端シールが、ハウジング部品の反対向きの（対向する）端面間での縦方向のシールと出会う地点）がシールされることができる。
以下、本発明は、添付の図面を参照しつつ具体例により説明されるであろう。
ここにおいて、図１は、本発明にかかる、空隙部内に挿入された状態にあるシール部材の模式図である。
図２は、本発明にかかる、もう１つのシール部材及び弾性部材を示す図である。
図３は、本発明にかかるケーブルクロージャの一部を示す図である。
図４は、本発明にかかるケーブルクロージャの２つのハウジング部品を示す図である。
図１（Ａ〜Ｃ）は、本発明にかかるシール部材２の模式図であり、これは本発明にしたがって対象物３の空隙部１５内に挿入されるようになっている。シール部材２は、ブロック状のシール材５（好ましくはゲル・シール材）と、該シール材５が取り付けられるキャリア４とを含んでいる。キャリアは、条片の形態の、シール部材２の裏材を含んでいる。キャリアは、シール材中に延び、かつ該キャリアをシール材につなぎとめる突起部６を有している。キャリアはまた、その両側部に、空隙部１５内で取付手段１０とかみ合うように配置された取付手段８も有している。
空隙部１５内の取付手段１０は、空隙部の壁部上に、空隙部内に突出する突起部を含んでいる。シール部材２を空隙部１５内に押し込むと、キャリア４は空隙部内の取付手段１０の浅い上部を摺動（スライド）し、そしてキャリアの取付手段８は、（図１Ｃに示すように）その反対向きの（対向する）側部で、空隙部の取付手段１０とかみ合う。このようにして、シール部材２は、空隙部１５内に保持される。
図１Ｃ中に示された取りつけ位置においては、シール部材２は、対象物３に対して、空隙部１５のさらに内部側の方向へ、そしてこの後空隙部の外部に向かう方向に移動することができる。これは、空隙部１５の取付手段１０が空隙部の基部から十分に離間し、このような移動を可能にしているからである。図１Ｂ及び１Ｃは、空隙部１５の底部に配置された弾性部材７を示している。取りつけ位置においてシール部材２がさらに空隙部内に移動させられたときには、弾性部材７は圧縮される。その弾性により、圧縮された弾性部材７は、シール部材に対して、これを空隙部１５の外部に向かって付勢する傾向をもつ反力を及ぼす。図１中に示された弾性部材７は、高分子発泡体の条片を含んでいる。
図２は、もう１つのシール部材２ともう１つの弾性部材７とを示している。このシール部材２は、キャリア４がシール材５に対してその反対向きの（対向する）側部に補強リブ１２を含んでいる点を除けば、図１中に示されたものと同様である。弾性部材７は、板ばね（リーフスプリング）を含んでいる。
図３Ａは、本発明にかかるケーブルクロージャ１の１つのハウジング部品３を部分的に示す斜視図である。ハウジング部品３は半割シェルを含み、このシェルは使用時にはもう１つのシェル（図示せず）と合体されて（たとえば）ケーブル継手を囲い込む（閉じ込める）。また、ブロック状のシール材５（たとえば、ゲル）とキャリア４とを含むシール部材２も図示されている。リベット又はその他の連結手段１３により合体させられた板ばね９とプレート１１とを含む弾性部材もまた示されている。
ハウジング部品３は、使用時において２つのハウジング部品が合体させられたときに形成される完全な空隙部の半分を含む空隙部１５を含んでいる。空隙部１５は、第１及び第２の離間された壁部１７間に設けられ、これらの壁部には、これを通ってケーブルがクロージャ１内に延びることができる２つの開口部１９が設けられている。鎖線で示されているように、弾性部材７は、シール部材２と空隙部１５の内壁との間に配置され、そしてハウジング部品３が１つ又はこれより多いケーブルのまわりで合体させられたときに、シール部材２は弾性部材７に対して圧縮され、かくして弾性部材自体の圧縮が惹起され、その結果弾性部材がその弾性により、シール材５に圧縮力を加えるといった状態を惹起する。図３中に示された実施形態においては、他方の半割シェル状のハウジング部品（図示せず）もまた、図示された方のものと同様にシール部材２を収容する。なお、図示された方のものに追加してもう１つの弾性部材７を収容してもよく、またしなくてもよい。シール材ブロック５は、ケーブル用の開口部２１を含んでいる。
図３Ａ中に示された半割シェル状のハウジング部品３は、（たとえば、シリコンゴムで形成された）エラストマーチューブの形態の２つの細長いシール部材２３を含み、これらは使用時には２つの半割シェル状のハウジング部品の反対向きの（対向する）縦方向の端面２５間（エッジ面間）をシールする。細長いシール部材２３は各々、ハウジング部品の縦方向の端面２５内に設けられた溝部内に置かれている。縦方向の端面２５が空隙部１５に直接隣接しているところでは、それらはその他の部位にある場合に比べて、横切る方向の幅（すなわち、縦方向又はケーブルを横切る方向の幅）がより狭くなっている。空隙部１５における相対的な狭さは、空隙部に隣り合う細長い各シール部材２３の長さの一部が、空隙部内で横向きに突出する結果を招く。空隙部の領域内で端面２５が狭くなっているということは、壁部の内側部（たとえば、約半分）が取り除かれているものと考えてもよく、これは細長いシール部材が空隙部１５内へ横向きに突出するといった結果、好ましくはそれらの横方向の断面積の少なくとも３分の１、たとえば約半分が空隙部内に突出するといった結果を招く。これは、いわゆるトリプルポイントＴ（すなわち縦方向のシールの交差点、すなわち末端シールを伴った細長いシール部材２３、すなわちシール材ブロック５）におけるシール材５と細長いシール部材２３との間での接触面積を増加させるといった利点を有する。また、シール材５に対するトリプルポイントＴの接近性を増加させ、これによりトリプルポイントにおける同一のシール材による透過性ないしは濡れ性を改善するといった利点も有する。
離間された壁部１７のケーブル開口部１９は溝部１８を備えていて、ケーブルまわりに巻きつけられたケーブル把持条片の対応する隆起部が、使用時に上記溝部とかみ合い、これによりケーブルをクロージャに固定する。
図３Ａ中に示された２つの半割シェル状のハウジング部品３は、かみ合い接続手段２７（たとえば、スナップ係合）、すなわち図示されているハウジング部品３の直立した接続手段２７の穴部とかみ合う他方のハウジング部品（図示せず）の上の弾性的な留め具又は突起部によって、合体されることができる。しかしながら、一般的には、任意の適切な接続手段を用いることができ、たとえばねじ、ボルト、クランプ、留め具などを用ることができる。さらに、一般的には、接続手段の任意の組み合わせを用いることができ、たとえば図３Ａに示されているハウジング部品３の上にねじ貫通部２９が設けられ、これにより端部、すなわち末端シールとトリプルポイントのシールにおける２つの半割シェル状のハウジング部品間での強固な接続を確実化する。取付手段、たとえばねじ貫通部３１が設けられることができ、これによりクロージャをもう１つの構造、たとえば壁部又はその他の支持体に取りつけことが可能となる。
図３Ｂは、半割シェル状のハウジング部品３を、その全長にわたって模式的に示している。この図示された半割シェルは、一方の端部に２つのケーブル用開口部を有し、反対側の端部に１つのケーブル用開口部を有しているが、一般的にはケーブル用開口部の数の組み合わせは任意に設定することができる。通常は、クロージャの各端部に、１つから４つのまでの間の数の開口部が設けられる。
図４は、本発明にかかるもう１つのケーブル継手クロージャ１の一部を示している。ここでは、両方の半割シェル３が図示されている。
【図１Ａ】
0003932055.tif 000002
【図１Ｂ】
0003932055.tif 000003
【図１Ｃ】
0003932055.tif 000004
【図２】
0003932055.tif 000005
【図４】
0003932055.tif 000006
【図３Ａ】
0003932055.tif 000007
【図３Ｂ】
0003932055.tif 000008